【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
（Ａ）ポリアミド骨格とポリエーテルエステル骨格とからなるポリアミドエラストマー（ａ）を必須とし、前記ポリアミドエラストマー（ａ）と重合脂肪酸系ポリアミド（ｂ）とが、（ａ）と（ｂ）との重量比で１００対０〜１０対９０の割合である成分２０〜４９重量％、（Ｂ）水酸化マグネシウム（ｃ）及びシアヌル酸メラミン（ｄ）のいずれか１種以上からなる成分５０〜７０重量％、及び（Ｃ）縮合リン酸エステルあるいは正リン酸エステル（ｅ）からなる成分１〜２０重量％とからなることを特徴とする樹脂組成物。
【請求項２】
請求項１記載の樹脂組成物を成形してなることを特徴とする成形体。
【手続補正２】
【補正対象書類名】明細書
【補正対象項目名】０００５
【補正方法】変更
【補正の内容】
【０００５】
【発明を解決するための手段】
上記課題を解決すべく鋭意検討を重ねた結果、ポリアミド骨格とポリエーテルエステル骨格とからなるポリアミドエラストマーを必須とし、所望によりポリアミドエラストマーに重合脂肪酸系ポリアミドを加えた成分と、水酸化マグネシウム及びシアヌル酸メラミンの１種以上からなる成分と、縮合リン酸エステルあるいは正リン酸エステルからなる成分とからなる樹脂組成物により課題解決を達成できることを見出し、本発明に至った。
【手続補正３】
【補正対象書類名】明細書
【補正対象項目名】０００６
【補正方法】変更
【補正の内容】
【０００６】
即ち、本発明は、（Ａ）ポリアミド骨格とポリエーテルエステル骨格とからなるポリアミドエラストマー（ａ）を必須とし、前記ポリアミドエラストマー（ａ）と重合脂肪酸系ポリアミド（ｂ）とが、（ａ）と（ｂ）との重量比で１００対０〜１０対９０の割合である成分２０〜４９重量％、（Ｂ）水酸化マグネシウム（ｃ）及びシアヌル酸メラミン（ｄ）のいずれか１種以上からなる成分５０〜７０重量％、及び（Ｃ）縮合リン酸エステルあるいは正リン酸エステル（ｅ）からなる成分１〜２０重量％とからなることを特徴とする樹脂組成物を提供するものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の樹脂組成物は優れた成形加工性を有するので、これを例えば押出成形、射出成形等の適宜手段で成形することによってフィルム、シート、電線被覆、パイプ、電子部品、各種筺体等の所望の成形体とすることができる。
【手続補正８】
【補正対象書類名】明細書
【補正対象項目名】００１１
【補正方法】変更
【補正の内容】
【００１１】
本発明の成形体は、優れた難燃性を有するので、種々の用途に応じた十分な難燃性を示し、しかもその表面の電気抵抗が十分に小さいので、静電気の帯電が防止される。その表面抵抗値は１０１３Ω以下とすることが可能であり、その状態を長期間にわたって保持することができる。
【手続補正９】
【補正対象書類名】明細書
【補正対象項目名】００１２
【補正方法】変更
【補正の内容】
【００１２】
また以上に述べた配合物（組成物）は白色であり種々の着色が可能である。
【手続補正１０】
【補正対象書類名】明細書
【補正対象項目名】００１３
【補正方法】変更
【補正の内容】
【００１３】
【発明の実施の形態】
本発明の実施の形態の典型的なもの及び最良の状態は後記の実施例に具体的に例示されるが、本発明を実施する上で選択可能な各種構成要件について以下に詳細に説明する。
【手続補正１１】
【補正対象書類名】明細書
【補正対象項目名】００１７
【補正方法】変更
【補正の内容】
【００１７】
（Ａ）、（Ｂ）、（Ｃ）各成分の配合割合は、（Ａ）成分が２０〜４９重量％、（Ｂ）成分が５０〜７０重量％、（Ｃ）成分が１〜２０重量％である。また（Ｂ）成分が５０重量％以上の場合に２００％以上の引張伸びを得るためには（Ｃ）成分は１重量％以上であることが好ましい。また（Ｂ）成分が６０重量％以上の場合に２００％以上の伸びを得るためには（Ｃ）成分は５重量％以上であることが好ましい。また、（Ｃ）成分を増加するほど押出加工時に変形が生じやすくなる。従って（Ｃ）成分は１〜１０重量％であることが特に好ましい。また、（Ｂ）成分が（ｄ）成分のみの場合には加工性から（Ｂ）成分は５０〜６０重量％であることが好ましい。
【手続補正１２】
【補正対象書類名】明細書
【補正対象項目名】００１８
【補正方法】変更
【補正の内容】
【００１８】
（ｃ）成分は、分解温度が高い水酸化マグネシウムである。ここで水酸化マグネシウムの表面処理の種類は特性に影響を与えない。
【手続補正１３】
【補正対象書類名】明細書
【補正対象項目名】００１９
【補正方法】変更
【補正の内容】
【００１９】
（ｄ）成分であるシアヌル酸メラミンは、分解温度が高く、耐水性に優れるため好ましい。
【手続補正１４】
【補正対象書類名】明細書
【補正対象項目名】００２０
【補正方法】変更
【補正の内容】
【００２０】
（ｅ）成分は、縮合リン酸エステルあるいは正リン酸エステルである。特に融点が８０〜２００℃の縮合リン酸エステル及び正リン酸エステルが難燃性、加工性、耐水性及び可塑剤効果から特に好ましい。
【手続補正１５】
【補正対象書類名】明細書
【補正対象項目名】００２４
【補正方法】変更
【補正の内容】
【００２４】
実施例１〜７，比較例１〜１９
表１から表７に記載した成分及び配合割合で、タンブラーにより混合した後、３０ｍｍφの二軸ベント式押出機で溶融混練後、ペレット化した。ペレットをＴダイ成形し、２００μｍフィルムを作成した。ただし成形不可能なものについては、加熱二本ロール及び熱プレス、冷却プレスにより成形し試料を作成した。ペレットを加熱二本ロール及び熱プレス、冷却プレスにより成形し１ｍｍ、２ｍｍ及び３ｍｍシートを作成した。また電線押出機により０．４ｍｍφの銅線に０．１８ｍｍの被覆を施し、電線を作成した。各特性の評価は以下の方法で実施し、評価結果は表１〜７に併せて記載した。
【手続補正１６】
【補正対象書類名】明細書
【補正対象項目名】００２６
【補正方法】変更
【補正の内容】
【００２６】
表１から表７で明らかなように、（Ａ）成分に（Ｂ）成分を１０％以上添加することにより、３ｍｍ厚でＶ−２〜Ｖ−０相当、２００μｍ厚でＶＴＭ−２〜ＶＴＭ−０相当の難燃性を得ることができる。特に、（Ｂ）成分が５５％以上になるとＶ−０相当の難燃性を得ることができる。また、（Ｂ）成分が１０％以上になると水平燃焼に適合し、３０％以上になると３０度傾斜試験に適合し、５０％以上になると４５度傾斜試験に適合し、６０％以上になると６０度傾斜試験に適合する。また（Ｂ）成分が（ｄ）成分のみの場合には６０％以上添加すると加工が困難になり、また６０度傾斜試験には適合しない。また（Ｂ）成分が７０％以上になると加工性が極端に低下する。
【手続補正１７】
【補正対象書類名】明細書
【補正対象項目名】００３０
【補正方法】変更
【補正の内容】
【００３０】
表中の略号の説明
ＰＡＥ１：軟化点１５３℃、比重１．０２、メルトインデックス５（１９０℃、２．１６ｋｇでの数値（以下の数値も同様の条件））の、ポリアミド骨格とポリエーテルエステル骨格とから成るポリアミドエラストマー
ＰＡＥ２：軟化点１６５℃、比重１．０２、メルトインデックス４のポリアミド骨格とポリエーテルエステル骨格とから成るポリアミドエラストマー
ＰＡ：軟化点８４℃、比重０．９６、メルトインデックス１６の重合脂肪酸系ポリアミド
ＥＶＡ：メルトインデックスが２．０、酢酸ビニル含量が２５重量％のエチレン−酢酸ビニル共重合体
ＰＥ：メルトインデックスが２．０の直鎖状低密度ポリエチレン（コモノマーはＣ６）
Ｍｇ（ＯＨ）２：水酸化マグネシウム
Ａｌ（ＯＨ）３：水酸化アルミニウム
ＭＣＡ：シアヌル酸メラミン
ＴＰＰ：正リン酸エステル（トリフェニルホスフェート）
ＰＰＥ：縮合リン酸エステル（融点約１６８℃）
【手続補正１８】
【補正対象書類名】明細書
【補正対象項目名】００３１
【補正方法】変更
【補正の内容】
【００３１】
【表１】
1999269379.tif 000001
【手続補正１９】
【補正対象書類名】明細書
【補正対象項目名】００３２
【補正方法】変更
【補正の内容】
【００３２】
【表２】
1999269379.tif 000002
【手続補正２０】
【補正対象書類名】明細書
【補正対象項目名】００３３
【補正方法】変更
【補正の内容】
【００３３】
【表３】
1999269379.tif 000003
【手続補正２１】
【補正対象書類名】明細書
【補正対象項目名】００３４
【補正方法】変更
【補正の内容】
【００３４】
【表４】
1999269379.tif 000004
【手続補正２２】
【補正対象書類名】明細書
【補正対象項目名】００３５
【補正方法】変更
【補正の内容】
【００３５】
【表５】
1999269379.tif 000005
【手続補正２３】
【補正対象書類名】明細書
【補正対象項目名】００３６
【補正方法】変更
【補正の内容】
【００３６】
【表６】
1999269379.tif 000006
【手続補正２４】
【補正対象書類名】明細書
【補正対象項目名】００３７
【補正方法】変更
【補正の内容】
【００３７】
【表７】
1999269379.tif 000007
【手続補正２５】
【補正対象書類名】明細書
【補正対象項目名】００３８
【補正方法】削除
【補正の内容】